(57)【特許請求の範囲】
【請求項１】
上下に延びる壁面と対向する後面と、その後面と反対側の前面とを含み、合成樹脂材料により形成される台座と、
物品類を吊り下げるためのフック部であって、その下端部から延びる延出部と、その延出部の先端に屈曲して形成される屈曲部とを含み、合成樹脂材料により形成されるフック部と、
前記台座の下端近傍に設けられ、前記フック部の下端部を回動可能に支持する支持部と、
前記台座の上端近傍に設けられ、前記フック部の屈曲部を係止する係止部と、
マグネットと、を備え、
前記フック部の屈曲部が前記係止部により係止されるときに前記フック部を収納するための収納凹部が、前記台座の前面および上端面に形成され、
前記マグネットを前記台座に設置するための設置凹部が、前記収納凹部に収納された前記フック部の延出部より後方であって前記台座の後面に形成され、
前記マグネットまたは前記マグネットに取り付けられる部材が、前記支持部の配置位置と前記係止部の配置位置との間において前記設置凹部内に位置する前記台座の後方部分に取り付けられることを特徴とする着脱可能なフック装置。
【請求項２】
前記フック部は、その下端部に形成される一対の軸部を含み、
前記支持部は、前記台座の下端近傍に形成され、前記一対の軸部と嵌合可能な一対の支持孔を有することを特徴とする請求項１に記載の着脱可能なフック装置。
【請求項３】
前記フック部は、前記延出部と前記屈曲部との連結部分の外面に形成され、使用者の指が接触可能な突出部を含むことを特徴とする請求項１または請求項２に記載の着脱可能なフック装置。
【請求項４】
前記台座は、前記屈曲部に近接した前記延出部の内面に当接する突起部を含み、
前記フック部が前記収納凹部に収納される姿勢は、前記フック部の前記屈曲部が前記係止部により係止されるときに、前記突起部と前記延出部の内面との当接により定まることを特徴とする請求項１乃至請求項３のいずれかに記載の着脱可能なフック装置。
【請求項５】
前記台座は、前記支持部の配置位置に近接して形成される当接面を含み、
前記当接面は、前記フック部が前記台座の前面から突出する位置まで回動されるときに、前記フック部の最下端部と当接することを特徴とする請求項１乃至請求項４のいずれかに記載の着脱可能なフック装置。
【請求項６】
前記台座は、前記収納凹部を形成する側面部をその収納凹部を横切る方向に切り欠いて形成される切欠部を含み、
前記切欠部は、前記支持部の配置位置より上方に位置し、
前記係止部により前記フック部の前記屈曲部が係止されるときに、紐などの長尺物を挿通するための空間が、前記フック部と前記切欠部との間に形成されることを特徴とする請求項１乃至請求項５のいずれかに記載の着脱可能なフック装置。
【請求項７】
前記台座の後面に対して着脱可能な保持部材を備え、
前記マグネットは、前記保持部材に取り付けられることを特徴とする請求項１乃至請求項６のいずれかに記載の着脱可能なフック装置。
【発明の詳細な説明】
【技術分野】
【０００１】
本発明は、上下方向に垂直な壁面に着脱可能なフック装置に関し、詳細には、その垂直な壁面に対向する後面にマグネットを設け、その後面と反対側の前面に収納可能なフック部を備える着脱可能なフック装置に関する。
【背景技術】
【０００２】
従来、マグネットの磁力により壁面に着脱可能なフック装置が知られている。この種のフック装置として、マグネットフックが特許文献１に記載されている。このマグネットフックは、台座と、台座に回動可能に支持されるフック部とを備える。マグネットが、台座の後面に埋設される。フック部は、台座の前面において、直交する２軸の周りに回動可能に回転部材により支持され、台座から常に突出する。台座が上下に垂直な壁面に装着される場合と水平な壁面に装着される場合とのいずれにおいても、使用者は、フック部の回動位置を変えることにより、物品類をフック部に引っ掛けることができる。
【０００３】
特許文献１に記載されたマグネットフックは、壁面に装着することが容易である点で有効である。このようなマグネットフックは、事務机の側壁の内面に装着され、カバンなどの物品類を外部から目立たないように吊り下げるときに使用される場合がある。マグネットフックのフック部は、物品類を吊り下げていないときでも、事務机の側壁の内面に装着された台座から常に突出しているため、女性がストッキングをフック部の先端に引っ掛けることがある。
【０００４】
一方、フック部が収納位置と突出位置とのいずれかに回動可能に支持されるフック装置が知られている。この種のフック装置として、収納可能なフックが特許文献２に記載されている。この収納可能なフックは、取付座と、取付座に回動可能に支持されるフック部とを備える。取付座は、後面で側壁に装着され、枠体が取付座の前面に取り付けられる。フック部が枠体に形成された挿通部に挿通される。フック部は、枠体の挿通部に収納される収納位置と、枠体から突出して物品類を吊り下げることができる突出位置とのいずれかに回動して位置する。
【先行技術文献】
【特許文献】
【０００５】
【特許文献１】特開２００７−８５４５０号公報
【特許文献２】特開２００４−１１３３０２号公報
【発明の概要】
【発明が解決しようとする課題】
【０００６】
特許文献２に記載された収納可能なフックの取付座が、特許文献１に記載されたマグネットフックの台座のように、マグネットの磁力により側壁に装着されるように構成することが考えられる。この構成において、収納可能なフックの全体のサイズを小型に維持しながら、側壁への装着力を大きくするために比較的大きなマグネットを埋設することができるスペースを取付座の後面側に確保する必要がある。また、物品類を確実に吊り下げることができるように比較的長いフック部を強固な構造で回動可能に支持するとともに、その比較的長いフック部を収納することができるスペースを取付座の前面側に確保する必要もある。しかも、ストッキングが引っ掛かるのを防止するために比較的長いフック部を確実に収納位置に保持するための保持機構も取付座に設ける必要がある。これらの必要性を同時に満足する構成は、特許文献１および特許文献２には開示も示唆もされていない。このため、取付座を前後方向に厚くすることなく、マクネットの埋設スペース、フック部の支持および収納のためのスペース、並びに、収納位置の保持機構の配置スペースを、取付座の限られた領域に効率的に設けることが要求される。
【０００７】
そこで、本発明は、フック装置の全体のサイズを小型に維持しながら、マクネットの埋設スペース、フック部の強固な支持および収納のためのスペース、並びに、収納位置の保持機構の配置スペースを、台座に効率的に確保することができる着脱可能なフック装置を提供することを目的とする。
【課題を解決するための手段】
【０００８】
請求項１に記載の発明態様は、上下に延びる壁面と対向する後面と、その後面と反対側の前面とを含み、合成樹脂材料により形成される台座と、物品類を吊り下げるためのフック部であって、その下端部から延びる延出部と、その延出部の先端に屈曲して形成される屈曲部とを含み、合成樹脂材料により形成されるフック部と、前記台座の下端近傍に設けられ、前記フック部の下端部を回動可能に支持する支持部と、前記台座の上端近傍に設けられ、前記フック部の屈曲部を係止する係止部と、マグネットと、を備え、前記フック部の屈曲部が前記係止部により係止されるときに前記フック部を収納するための収納凹部が、前記台座の前面および上端面に形成され、前記マグネットを前記台座に設置するための設置凹部が、前記収納凹部に収納された前記フック部の延出部より後方であって前記台座の後面に形成され、前記マグネットまたは前記マグネットに取り付けられる部材が、前記支持部の配置位置と前記係止部の配置位置との間において前記設置凹部内に位置する前記台座の後方部分に取り付けられる構成である。
【０００９】
本発明態様では、支持部は、フック部の下端部を回動可能に支持する構成であれば、フック部の下端部に形成される軸部であっても、または、台座の下端近傍に形成される軸部を受ける軸受け部であっても良い。
【００１０】
本発明態様では、係止部は、フック部の上端部と係合する係合突起であっても、または、係合溝であっても良い。
【００１１】
本発明態様では、設置凹部は、マグネットが収容されて設置される凹部であれば良く、マグネットが設置凹部の周面に直接に係合して取り付けられる構成であっても、または、マグネット或いはマグネットに取り付けられる部材が、設置凹部内に位置する台座の後方部分に着脱可能に取り付けられる構成であっても良い。マグネットが設置凹部の周面に直接に係合して取り付けられる構成である場合、設置凹部の周面が、マグネットを取り付ける台座の後方部材に相当する。
【００１２】
本発明態様では、設置凹部は、支持部の配置位置と係止部の配置位置との間の領域の全てに形成される必要はなく、その一部の領域に形成されても良い。すなわち、設置凹部は、フック装置が側壁に装着される装着力の強さに応じた大きさのマグネットを設置することができる領域であれば良い。
【００１３】
請求項２に記載の具体的態様は、前記フック部が、その下端部に形成される一対の軸部を含み、前記支持部は、前記台座の下端近傍に形成され、前記一対の軸部と嵌合可能な一対の支持孔を有する構成である。
【００１４】
請求項３に記載の具体的態様は、前記フック部が、前記延出部と前記屈曲部との連結部分の外面に形成され、使用者の指が接触可能な突出部を含む構成である。
【００１５】
請求項４に記載の具体的態様は、前記台座が、前記屈曲部に近接した前記延出部の内面に当接する突起部を含み、前記フック部が前記収納凹部に収納される姿勢が、前記フック部の前記屈曲部が前記係止部により係止されるときに、前記突起部と前記延出部の内面との当接により定まる構成である。
【００１６】
請求項５に記載の具体的態様は、前記台座が、前記支持部の配置位置に近接して形成される当接面を含み、前記当接面が、前記フック部が前記台座の前面から突出する位置まで回動されるときに、前記フック部の最下端部と当接する構成である。
【００１７】
請求項６に記載の具体的態様は、前記台座が、前記収納凹部を形成する側面部をその収納凹部を横切る方向に切り欠いて形成される切欠部を含み、前記切欠部が、前記支持部の配置位置より上方に位置し、前記係止部により前記フック部の前記屈曲部が係止されるときに、紐などの長尺物を挿通するための空間が、前記フック部と前記切欠部との間に形成される構成である。
【００１８】
請求項７に記載の具体的態様は、前記台座の後面に対して着脱可能な保持部材を備え、
前記マグネットが、前記保持部材に取り付けられる構成である。
【発明の効果】
【００１９】
請求項１に記載の発明態様では、設置凹部内の台座の後方部分が、台座の後面において支持部の配置位置と係止部の配置位置との間に位置する。台座の後方部分は、マグネットまたはマグネットに取り付けられる部材を台座に取り付ける。この構成により、設置凹部内の台座の後方部分が、台座の前後方向において支持部および係止部の配置位置と重なって位置しないことから、台座の前後方向の厚さを大きくすることなく、支持部および係止部を比較的強固な構造で台座に形成することができ、しかも、フック部を収納凹部に収納したとき、台座が壁面から突出する量を可能な限り小さくすることができる。また、フック部が、支持部により台座の下端近傍に回動可能に支持され、係止部により台座の上端近傍に係止される。この構成により、台座の上下方向の長さを大きくすることなく、フック部の上下方向の長さを長く形成することができ、使用者は物品類を確実にフック部に吊り下げることができる。
【００２０】
また、発明態様では、屈曲部が、延出部の先端に屈曲して形成され、係止部により台座の上端近傍に係止される。この構成により、屈曲部は、物品類がフック部に吊り下げられた状態を確実に保持することができ、しかも、台座の上下方向の長さを大きくすることなく、フック部が収納凹部に収納された状態を確実に保持することができる。
請求項２に記載の具体的態様では、フック部が、その下端部に形成される一対の軸部を含み、支持部が、台座の下端近傍に形成され、一対の軸部と嵌合可能な一対の支持孔を有する。この構成により、フック部が台座の下端近傍に回動可能に支持される。
【００２１】
請求項３に記載の具体的態様では、使用者の指が接触可能な突出部が、延出部と屈曲部との連結部分の外面に形成される。この構成により、使用者は、突出部を指で操作することにより、係止部および屈曲部の係合により収納凹部内に保持されたフック部を、収納凹部から簡単に突出させることができ、物品類をフック部に容易に吊り下げることができる。
【００２２】
請求項４に記載の具体的態様では、フック部が収納凹部に収納される姿勢が、フック部の屈曲部が係止部により係止されるときに、突起部と延出部の内面との当接により定まる。この構成により、突起部および延出部の内面の当接位置と、支持部の配置位置とにより、フック部の収納姿勢を常に一定の姿勢に定めることができる。すなわち、延出部の側面または内面が収納凹部の内面と当接する構成では、当接する面の成形精度によりフック部の収納姿勢が変動して、係止部による屈曲部の係止を確実に行うことができないおそれがある。これに対し、本具体的態様では、フック部の収納姿勢が一定の姿勢に定められることから、係止部による屈曲部の係止を確実に行うことができる。
【００２３】
請求項５に記載の具体的態様では、当接面が、支持部の配置位置に近接して台座に形成され、その当接面が、台座の前面から突出する位置まで回動されたフック部の最下端部と当接する。この構成により、フック部および台座を上下方向に長くすることなく、フック部が突出する位置を一定の位置に確実に設定することができる。
【００２４】
請求項６に記載の具体的態様では、係止部によりフック部の屈曲部が係止されるときに、紐などの長尺物を挿通するための空間が、フック部と切欠部との間に形成される。この構成により、使用者は、フック部が収納凹部に収納された状態で、フック部と切欠部との間に物品類に連結された長尺物を挿通して吊り下げることができ、しかも、女性の使用者がストッキングをフック部に引っ掛けるおそれが全くなくなる。また、切欠部が、支持部の配置位置より上方に位置して形成される。この構成により、台座を上下方向に長くすることなく、物品類の吊り下げを行うことができる。
【００２５】
請求項７に記載の具体的態様では、保持部材が台座の後面に対して着脱可能に形成され、マグネットが保持部材に取り付けられる。この構成により、マグネットの大きさまたは形状を変更する場合でも、台座の構成を変更することなく保持部材の構成を変えるのみで、異なるマグネットを台座に設置することが容易になる。すなわち、マグネットが台座に直接に設置される構成である場合、マグネットの形状などの変更は、台座の大幅な変更を必要とし、新たな金型などを含む製造コストが大幅に増加するが、本具体的態様では、保持部材のみの変更で、異なるマグネットの設置が可能となる。
【図面の簡単な説明】
【００２６】
【図１】本発明の第１の実施形態に係るフック装置１の全体を後方から見た分解斜視図である。
【図２】上記フック装置１の一部を前方から見た分解斜視図である。
【図３】上記フック装置１のフック部２を下方から見た底面図である。
【図４】上記フック装置１の台座３のみを前方から見た正面図である。
【図５】図４に示すＡ−Ａ線に従って切断した台座３の側断面図である。
【図６】図４に示すＢ−Ｂ線に従って切断した台座３の側断面図である。
【図７】図４に示すＣ−Ｃ線に従って切断した台座３の側断面図である。
【図８】上記フック装置１のフック部２が突出した状態を示す側断面図である。
【図９】上記フック装置１のフック部２が収納された状態を示す側断面図である。
【図１０】本発明の第２の実施形態に係るフック装置を前方から見た分解斜視図である。
【図１１】第２の実施形態に係るフック装置を後方から見た分解斜視図である。
【図１２】第２の実施形態の保持部材およびマグネットを示す斜視図である。
【図１３】第２の実施形態の台座のみを前方から見た正面図である。
【図１４】図１３に示すＡ−Ａ線に従って切断した台座の側断面図である。
【図１５】図１３に示すＢ−Ｂ線に従って切断した台座の側断面図である。
【図１６】図１３に示すＣ−Ｃ線に従って切断した台座の側断面図である。
【図１７】第２の実施形態に係るフック装置のフック部が突出した状態を示す側断面図である。
【図１８】第２の実施形態に係るフック装置のフック部が収納された状態を示す側断面図である。
【発明を実施するための形態】
【００２７】
＜第１の実施形態＞
以下に、本発明の第１の実施形態に係るフック装置１について、図面を参照して説明する。図１に矢印で示す３つの方向を、上下方向、前後方向、および左右方向とし、その他の図面でも同様に、各方向を示す。
【００２８】
［フック装置１の概略構成］
図１において、フック装置１は、フック部２と、台座３と、マグネット４と、摩擦シート５とを備える。
【００２９】
フック部２は、基端部分２０と、延出部分２１と、屈曲部分２２とを備え、これらの部分は合成樹脂材料により一体に成形される。基端部分２０は、延出部分２１に比べ、前後方向における厚さが大きくなるように形成される。一対の軸部２３、２４が、基端部分２０の左右両側面から突出して形成される。図３に示すように、両軸部２３、２４は、後方部分の突出量が徐々に小さくなるように傾斜して形成される。保持端面２５が、基端部分２０の後面の最下端部、すなわちフック部２の最下端部に形成される。
【００３０】
延出部分２１は、基端部分２０から上方に延出し、板状に形成される。屈曲部分２２は、延出部分２１の上方部分から略直角に後方に屈曲して形成される。係止溝２６が、左右方向に延びて屈曲部分２２に形成される。
【００３１】
マグネット４は、円柱形状を有し、公知の永久磁石から構成される。マグネット４は、台座３に埋設される。摩擦シート５は、円形状を有し、摩擦係数の大きな材料から形成される。たとえば、摩擦シート５は、ポリウレタン樹脂、熱可塑性ポリウレタンエラストマー、熱可塑性エラストマーなどの摩擦係数の大きな材料から形成される。摩擦シート５は、マグネット４に対向する面に粘着層を有し、台座３に埋設されたマグネット４に接着される。
【００３２】
本実施形態のフック部２、台座３、およびマグネット４が、本発明のフック部、台座、およびマグネットの一例である。本実施形態の一対の軸部２３、２４、延出部分２１、および屈曲部分２２が、本発明の一対の軸部、延出部、および屈曲部の一例である。
【００３３】
［台座３の詳細な構成］
台座３の詳細な構成について、図２乃至図７を参照して説明する。台座３は、本体部分３０と、一対の側壁部分３１、３２とを備え、これらの部分は合成樹脂材料により一体に成形される。図１に示すように、本体部分３０は、後面に設置凹部３３を有する。設置凹部３３の内周面は、互いに対向する一対の小径内周面３３Ａ、３３Ａと、互いに対向する一対の大径内周面３３Ｂ、３３Ｂとを含む。マグネット４は、設置凹部３３の一対の小径内周面３３Ａ、３３Ａに圧入されて埋設される。図２に示すように、両側壁部分３１、３２は、本体部分３０の前方部分から前方に起立し、上下方向に延びて形成される。両側壁部分３１、３２の各々は、左右方向の厚さが前方に向かって徐々小さくなるように傾斜して形成される。両側壁部分３１、３２は、前方に向かって傾斜した形状により、互いに離れる方向に弾性変形し易くなる。
【００３４】
一対の切欠部３４、３５が、両側壁部分３１、３２を切り欠いて形成される。両切欠部３４、３５は、上下方向において同じ高さの位置に形成される。図４および図５に示すように、フック部２のための収納凹部３６が、両側壁部分３１、３２の間の領域に形成される。収納凹部３６は、３つの収納空間３６Ａ〜３６Ｃを有する。収納空間３６Ａは、フック部２の基端部分２０を収納する空間である。収納空間３６Ｂは、フック部２の延出部分２１を収納する空間である。収納空間３６Ｃは、フック部２の屈曲部分２２を収納する空間である。本実施形態の設置凹部３３、および収納凹部３６が、本発明の設置凹部、および収納凹部の一例である。本実施形態の一対の小径内周面３３Ａ、３３Ａが、本発明の設置凹部内に位置する台座の後方部分の一例である。本実施形態の一対の切欠部３４、３５が、本発明の切欠部の一例である。
【００３５】
図１に示すように、２つの凹所３７、３８が、台座３の後面に形成される。これらの凹所は、台座３の肉厚部分が成形時に収縮するのを防止するために設けられる。図４および図５に示すように、一対の支持孔３９、４０が、凹所３７に連通して台座３の両側壁部分３１、３２の下端近傍に形成される。一対の嵌入溝４１、４２が、両支持孔３９、４０の前方部分に連設して、両側壁部分３１、３２の互いに対向する内面に形成される。フック部２の両軸部２３、２４は、両嵌入溝４１、４２に嵌入して両支持孔３９、４０に嵌合する。この嵌合により、フック部２は、回動可能に台座３に支持される。両軸部２３、２４が両支持孔３９、４０に嵌合するときに、両軸部２３、２４が形成された基端部分２０の側方部分は内方に縮んで弾性変形し、両支持孔３９、４０が形成された両側壁部分３１、３２は外方に広げられて弾性変形する。本実施形態の一対の支持孔３９、４０が、本発明の支持部の一例である。
【００３６】
図５に示すように、本体部分３０の前方部分は、下方平面４３Ａと、当接面４３Ｂと、延出平面４３Ｃと、突起部４３Ｄと、上方端面４３Ｅとを備える。下方平面４３Ａは、台座３の下方端から上下方向に延びて形成される。当接面４３Ｂは、下方平面４３Ａから前方に傾斜して形成され、フック部２が台座３から前方に突出したときに保持端面２５と当接する。延出平面４３Ｃは、当接面４３Ｂから上下方向に延びて形成される。延出平面４３Ｃは、図５に示すように、切欠部３４、３５の最後方部分より後方に位置する。突起部４３Ｄは、延出平面４３Ｃの上方端部分から前方に突出して形成される。突起部４３Ｄは、フック部２が収納凹部３６に収納されたときに、屈曲部分２２に近接した延出部分２１の内面に当接する。上方端面４３Ｅは、台座３の上方端において前後方向に延びて形成される。係止突部４４が、上方端面４３Ｅから上方に突出して形成される。係止突部４４は、フック部２が収納凹部３６に収納されたときに屈曲部分２２の係止溝２６に嵌合する。収納空間３６Ｃの前後方向の大きさは、屈曲部分２２が延出部分２１から前後方向に突出する長さより大きく形成される。すなわち、フック部２が収納凹部３６に収納されて屈曲部分２２が収納空間３６Ｃ内に位置する状態において、使用者は、収納空間３６Ｃに指先を差し入れて屈曲部分２２の先端部を引き上げることができるように、収納空間３６Ｃの大きさが設定される。
【００３７】
本実施形態の係止突部４４が、本発明の係止部の一例である。本実施形態の突起部４３Ｄは、本発明の突起部の一例である。本実施形態の当接面４３Ｂ、およびフック部２の保持端面２５が、本発明の当接面、およびフック部の最下端部の一例である。
【００３８】
［フック装置１の使用方法］
フック装置１の使用方法について、図８および図９を参照して説明する。１つの使用方法は、フック部２が突出した状態で、ランドセルなどの比較的大きな物品を引っ掛けるためにフック装置１を使用する場合である。他の使用方法は、フック部２が収納された状態で、スリッパ入れなどの比較的小さな物品に付けられた紐などの細い長尺物を切欠部３４、３５に挿通して吊り下げて使用する場合である。これらの２つの使用方法について以下に説明する。
【００３９】
（比較的大きな物品を引っ掛ける使用方法）
使用者は、スチールなどの磁性材料から構成された机の側壁などの上下方向に延びる壁面ＷＬに、マグネット４の磁力によりフック装置１を装着する。フック部２が収納凹部３６に収納された状態にある場合には、使用者は、図９に示すように、屈曲部分２２の先端部分から後方側に存在する収納空間３６Ｃに指先を差し入れ、フック部２を前方に押し出す。使用者の押し出し操作により、屈曲部分２２の係止溝２６は台座３の係止突部４４との嵌合から解除され、フック部２は一対の軸部２３、２４を中心に反時計回り方向に回動される。フック部２の保持端面２５が台座３の当接面４３Ｂに当接すると、フック部２の回動が停止される。これにより、フック部２は、図８に示す突出した状態に保持される。この突出した状態のフック部２は、カバンなどの比較的大きな物品を吊り下げることができる。また、マグネット４は、摩擦シート５を介して壁面ＷＬに接触することから、フック装置１の後面と壁面ＷＬとの間の摩擦抵抗が大きくなり、フック装置１は、比較的大きな物品を吊り下げた状態で、マグネット４の磁力により壁面ＷＬ上に確実に装着される。
【００４０】
（比較的小さな物品を吊り下げる使用方法）
使用者は、比較的小さい物品を外部から目立たないように吊り下げたい場合がある。たとえば、机の側壁の内面に物品を吊り下げる場合がある。この場合、フック部２が図８に示すように突出した状態では、フック部２の先端が使用者の足などに引っ掛かることがある。このため、本実施形態に係るフック装置１は、フック部２が収納凹部３６に収納された状態で、物品に付けられた紐などの細い長尺物ＳＴを吊り下げることができる。
【００４１】
使用者は、フック部２が図８に示すように突出した状態で、細い長尺物ＳＴをフック部２の基端部分２０の近くに吊り下げる。その後に、使用者は、フック部２を時計回り方向に回動させ、屈曲部分２２の係止溝２６を台座３の係止突部４４に嵌合させる。この嵌合により、フック部２は図９に示すように収納された状態に保持される。フック部２が収納されたときに、細い長尺物ＳＴは、フック部２の延出部分２１の後方に存在する切欠部３４、３５に挿通された状態になる。これにより、使用者は、フック部２を収納した状態で、物品の細い長尺物を吊り下げることができる。
【００４２】
［フック装置１の効果］
設置凹部３３は、図５に示すように、台座３の前後方向の厚さの略１／２の奥行きを有し、台座３の上下方向の略中央部分に形成される。設置凹部３３内の一対の小径内周面３３Ａ、３３Ａは、支持孔３９、４０の配置位置と係止突部４４の配置位置との間に位置する。これにより、一対の小径内周面３３Ａ、３３Ａの配置領域は、前後方向において支持孔３９、４０および係止突部４４の配置位置と重なり合うことがなく、台座３の前後方向の厚さおよび左右方向の幅を大きくせずに、支持孔３９、４０および係止突部４４の周辺部分を強固に形成することができる。また、本実施形態では、一対の小径内周面３３Ａ、３３Ａの配置領域が、前後方向において支持孔３９、４０および係止突部４４の配置位置と重なり合う構成に比べ、支持孔３９、４０および係止突部４４を成形する金型の構造が簡単になり台座３全体の成形金型を簡易な形状で製作することができる。さらに、本実施形態では、マグネット４は、一対の小径内周面３３Ａ、３３Ａの間への圧入により、台座３に取り付けられることから、マグネットを接着剤で台座に直接に接着する構成に比べ、接着力の劣化などの経年変化による影響を受けることなく長期間確実にマグネットが台座に保持される。
【００４３】
基端部分２０の最下端部である保持端面２５と、軸部２３、２４が嵌合する支持孔３９、４０の形成位置に近接して形成された当接面４３Ｂとの当接により、フック部２は突出した状態に保持される。これにより、フック部２および台座３を上下方向に長くすることなく、フック部２の突出した状態を確実に保持することができる。
【００４４】
屈曲部分２２の内面に形成された係止溝２６と、台座３の上方端面４３Ｅに形成された係止突部４４との嵌合により、フック部２は収納された状態に保持される。これにより、フック部２および台座３を上下方向に長くすることなく、フック部２の収納された状態を確実に保持することができる。
【００４５】
屈曲部分２２に近接した延出部分２１の内面と、台座３の突起部４３Ｄとの当接により、フック部２の収納された姿勢が常に一定の姿勢に定められる。これにより、屈曲部分２２の係止溝２６が、台座３の係止突部４４に確実に嵌合することができる。
【００４６】
切欠部３４、３５は、台座３の上端部分より下端部分に近い位置、特に、フック部２の基端部分２０が支持される支持孔３９、４０に近接して形成される。これにより、細い長尺物ＳＴは、フック部２が収納されたときに切欠部３４、３５に確実に挿通される。
【００４７】
＜第２の実施形態＞
以下に、本発明の第２の実施形態に係るフック装置１００について、図面を参照して説明する。フック装置１００は、第１の実施形態に係るフック装置１とは、マグネットの取り付け構成と、切欠部３４、３５に相当する部分を有しない構成とにおいて、大きく相違する。
【００４８】
［フック装置１００の概略構成］
図１０乃至図１２において、フック装置１００は、フック部１０２と、台座１０３と、マグネット１０４と、保持枠１０５とを備える。
【００４９】
フック部１０２は、基端部分１２０と、延出部分１２１と、屈曲部分１２２とを備え、これらの部分は合成樹脂材料により一体に成形される。基端部分１２０は、延出部分１２１に比べ、前後方向における厚さが大きくなるように形成される。一対の軸部１２３、１２４が、基端部分１２０の左右両側面から突出して形成される。両軸部１２３、１２４は、図３に示す両軸部２３、２４と同様に、後方部分の突出量が徐々に小さくなるように傾斜して形成される。保持下端面１２５が、基端部分１２０の最下端部に形成され、保持後端面１２６が、基端部分１２０の最下端部に近接した後面に形成される。すなわち、保持下端面１２５および保持後端面１２６は、フック部２の最下端部に形成される。
【００５０】
延出部分１２１は、基端部分１２０から上方に延出し、緩やかに湾曲して形成される。屈曲部分１２２は、延出部分１２１の上方部分から略直角に後方に屈曲して形成される。係止突部１２７が、左右方向に延びて屈曲部分１２２の内面に形成される。突出部１２８が、延出部分１２１と屈曲部分１２２との連結部分の外面に形成される。使用者は、指先で突出部１２８に接触してフック部１０２を回動させることができる。
【００５１】
図１１および図１２において、マグネット１０４は、板状の矩形形状を有し、公知の永久磁石から構成される。一対の突起片がマグネット１０４の左右側端面にそれぞれ固定される。図１２には、マグネット１０４の右側端面に固定された一対の突起片１０６Ａ、１０６Ａのみが示される。
【００５２】
保持枠１０５は、一対の側壁部分１０７、１０８と、一対の梁部分１０９、１１０とを備え、これらの部分が合成樹脂材料により一体に成形される。一対の嵌合凹所が、一対の側壁部分１０７、１０８の各々の内面に形成され、一対の突起片と嵌合する。図１２には、右側壁部分１０７の内面に形成された一対の嵌合凹所１１１Ａ、１１１Ａのみが示される。取付突起１１２が上部梁部分１０９の上方端に形成される。また、取付突起１１３が下部梁部分１１０の下方端に形成される。
【００５３】
本実施形態のフック部１０２、台座１０３、およびマグネット１０４が、本発明のフック部、台座、およびマグネットの一例である。本実施形態の一対の軸部１２３、１２４、延出部分１２１、および屈曲部分１２２が、本発明の一対の軸部、延出部、および屈曲部の一例である。本実施形態の突出部１２８は、本発明の突出部の一例である。本実施形態の保持枠１０５が、本発明のマグネットに取り付けられる部材および保持部材の一例である。
【００５４】
［台座１０３の詳細な構成］
台座１０３の詳細な構成について、図１０、図１１、図１３乃至図１６を参照して説明する。台座１０３は、前方から見た場合に略円形形状であり、球面形状の前面を有する。台座１０３は、支持部分１３０と、一対の側方部分１３１、１３２とを備え、これらの部分は合成樹脂材料により一体に成形される。図１１に示すように、台座１０３は、後面に設置凹部１３３を有する。図１４に示すように、支持部分１３０は、設置凹部１３３の内部で上下方向に延びて形成される。取付凹所１３４が、支持部分１３０の上方部分に形成され、その取付凹所１３４の開口部分が下方に突出する。取付凹所１３５が、支持部分１３０の下方部分に形成され、その取付凹所１３５の開口部分が上方に突出する。取付凹所１３４は、保持枠１０５の取付突起１１２と嵌合し、取付凹所１３５は、保持枠１０５の取付突起１１３と嵌合する。取付突起が取付凹所に嵌合するときに、その取付突起が形成された梁部分が上下方向に変形する。たとえば、取付突起１１２が取付凹所１３４に嵌合するときに、その取付突起１１２が形成された梁部分１０９が下方に曲がって弾性変形する。取付凹所および取付突起の嵌合により、保持枠１０５は台座１０３の支持部分１３０に着脱可能に取り付けられる。
【００５５】
図１３および図１４に示すように、フック部１０２のための収納凹部１３６が、両側方部分１３１、１３２の間の領域に形成される。収納凹部１３６は、３つの収納空間１３６Ａ〜１３６Ｃを有する。収納空間１３６Ａは、フック部１０２の基端部分１２０を収納する空間である。収納空間１３６Ｂは、フック部１０２の延出部分１２１を収納する空間である。収納空間１３６Ｃは、フック部１０２の屈曲部分１２２を収納する空間である。本実施形態の設置凹部１３３、および収納凹部１３６が、本発明の設置凹部、および収納凹部の一例である。本実施形態の取付凹所１３４、１３５が、本発明の設置凹部内に位置する台座の後方部分の一例である。
【００５６】
図１３および図１４に示すように、一対の支持孔１３９、１４０が、設置凹部１３３に連通して台座１０３の両側方部分３１、３２の下端近傍に形成される。一対の嵌入溝１４１、１４２が、両支持孔１３９、１４０の前方部分に連設して、両側方部分１３１、１３２の互いに対向する内面に形成される。フック部１０２の両軸部１２３、１２４は、両嵌入溝１４１、１４２に嵌入して両支持孔１３９、１４０に嵌合する。この嵌合により、フック部１０２は、回動可能に台座１０３に支持される。両軸部１２３、１２４が両支持孔１３９、１４０に嵌合するときに、両軸部２３、２４が形成された基端部分１２０の側方部分は内方に縮んで弾性変形する。本実施形態の一対の支持孔１３９、１４０が、本発明の支持部の一例である。
【００５７】
図１４に示すように、支持部分１３０の前方部分は、下方当接面１４３Ａと、傾斜当接面４３Ｂと、延出平面１４３Ｃと、突起部１４３Ｄと、上方端面１４３Ｅとを備える。下方当接面１４３Ａは、台座１０３３の下方部分から上下方向に延びて形成される。傾斜当接面１４３Ｂは、下方当接面１４３Ａから前方に傾斜して形成される。フック部１０２が台座１０３から前方に突出したときに、下方当接面１４３Ａは保持下端面１２５と当接し、傾斜当接面１４３Ａは保持後端面１２６と当接する。延出平面１４３Ｃは、傾斜当接面１４３Ｂから上下方向に延びて形成される。突起部１４３Ｄは、延出平面１４３Ｃの上方端部分から前方に突出して形成される。突起部１４３Ｄは、フック部１０２が収納凹部１３６に収納されたときに、屈曲部分１２２に近接した延出部分１２１の内面に当接する。上方端面１４３Ｅは、台座１０３の上方端において前後方向に延びて形成される。係止凹所１４４が、上方端面１４３Ｅにおいて開口するように、設置凹部１３３に連通して前後方向に形成される。フック部１０２が収納凹部１３６に収納されたときに、屈曲部分１２２の係止突部１２７が係止凹所１４４に嵌合する。
【００５８】
本実施形態の係止凹所１４４が、本発明の係止部の一例である。本実施形態の突起部１４３Ｄは、本発明の突起部の一例である。本実施形態の下方当接面１４３Ａ、および傾斜当接面１４３Ｂが、本発明の当接面の一例である。本実施形態のフック部２の保持下端面２５、および保持後端面１２６が、本発明のフック部の最下端部の一例である。
【００５９】
［フック装置１００の使用方法］
フック装置１００の使用方法について、図１７および図１８を参照して説明する。
【００６０】
（物品を引っ掛ける場合）
使用者は、スチールなどの磁性材料から構成された机の側壁などの上下方向に延びる壁面ＷＬに、マグネット１０４の磁力によりフック装置１００を装着する。フック部１０２が、図１８に示すように収納凹部１３６に収納された状態にある場合には、使用者は、フック部１０２の突出部１２８に指先を接触させ、フック部１０２を前方に押し出す。使用者の押し出し操作により、屈曲部分１２２の係止突部１２７は台座１０３の係止凹所１４４との嵌合から解除され、フック部１０２は一対の軸部１２３、１２４を中心に反時計回り方向に回動される。フック部１０２の保持下端面１２５および保持後端面１２６が台座３の下方当接面１４３Ａおよび傾斜当接面１４３Ｂにそれぞれ当接すると、フック部１０２の回動が停止される。これにより、フック部１０２は、図１７に示す突出した状態に保持される。この突出した状態のフック部１０２は、カバンなどの物品を吊り下げることができる。
【００６１】
（フック部１０２を収納する場合）
使用者は、カバンなどの物品を吊り下げない場合には、フック部１０２の屈曲部分１２２などの先端部分に衣服などを引っ掛けないようにフック部１０２を収納凹部１３６に収納する。この収納のために、使用者は、フック部１０２を時計回り方向に回動させ、屈曲部分２２の係止突部１２７を台座１０３の係止凹所１４４に嵌合させる。この嵌合により、フック部１０２は図１８に示すように収納された状態に保持される。
【００６２】
（マグネット１０４を交換する場合）
マグネット１０４を交換する場合、使用者は、取付突起１１２、１１３を取付凹所１３４、１３５との嵌合から解除して保持枠１０５を台座１０３から取り外す。その後に、使用者は、マグネット１０４の突起片を保持枠１０５の嵌合凹所との嵌合から解除する。たとえば、使用者は、マグネット１０４の右側端面に固定された一対の突起片１０６Ａ、１０６Ａを、保持枠１０５の右側壁部分１０７の内面に形成された一対の嵌合凹所１１１Ａ、１１１Ａとの嵌合から解除する。これにより、使用者は、マグネット１０４を保持枠１０５から取り外すことができる。
【００６３】
新たなマグネットが、左右方向の幅についてマグネット１０４と同じであり、設置凹部１３３に収容することができる上下方向の長さである限り、使用者は、マグネット１０４より上下方向の長さが長い新たなマグネットを保持枠１０５に取り付けることができる。一方、新たなマグネットが、左右方向の幅についてマグネット１０４より小さい場合、使用者は、保持枠１０５とは異なる保持枠を使用する必要がある。異なる保持枠は、一対の梁部分の間隔が一対の梁部分１０９、１１０の間隔と同じであるが、一対の側壁部分の間隔が新たなマグネットの幅に合わせて一対の側壁部分１０７、１０８の間隔より小さい保持枠、すなわち小さな幅の保持枠となる。異なる保持枠の一対の梁部分の間隔は一対の梁部分１０９、１１０の間隔と同じであることから、台座１０３の形状を変えることなく、幅の小さな保持枠を台座１０３に取り付けることができる。したがって、マグネットの幅に応じた幅の保持枠を用意することにより、台座１０３の形状を変えることなく、異なるサイズのマグネットを台座１０３に取り付けることができる。
【００６４】
［フック装置１００の効果］
設置凹部１３３は、台座１０３の前後方向の厚さの略１／３の奥行きを有し、台座１０３の上下方向の領域の大部分に形成される。一方、保持枠１０５の取付突起１１２、１１３が嵌合する取付凹所１３４、１３５は、設置凹部１３３内ではあるが、支持孔１３９、１４０の配置位置と係止凹所１４４の配置位置との間に位置する。これにより、取付凹所１３４、１３５の配置領域は、前後方向において支持孔１３９、１４０および係止凹所１４４の配置位置と重なり合うことがなく、台座１０３の前後方向の厚さおよび左右方向の幅を大きくせずに、支持孔１３９、１４０および係止凹所１４４の周辺部分を強固に形成することができる。また、本実施形態では、取付凹所１３４、１３５の配置領域が、前後方向において支持孔１３９、１４０および係止凹所１４４の配置位置と重なり合う構成に比べ、支持孔１３９、１４０および係止凹所１４４を成形する金型の構造が簡単になり台座１０３全体の成形金型を簡易な形状で製作することができる。さらに、本実施形態では、マグネット１０４は、取付突起１１２、１１３と取付凹所１３４、１３５との嵌合により、台座１０３に取り付けられることから、マグネットを接着剤で台座に直接に接着する構成に比べ、接着力の劣化などの経年変化による影響を受けることなく長期間確実にマグネットが台座に保持される。
【００６５】
基端部分１２０の最下端部である保持下端面１２５および保持後端面１２６と、軸部１２３、１２４が嵌合する支持孔１３９、１４０の形成位置に近接して形成された下方当接面１４３Ａおよび傾斜当接面１４３Ｂとの当接により、フック部１０２は突出した状態に保持される。これにより、フック部１０２および台座１０３を上下方向に長くすることなく、フック部１０２の突出した状態を確実に保持することができる。
【００６６】
屈曲部分１２２の内面に形成された係止突部１２７と、台座１０３の上方端面１４３Ｅに形成された係止凹所１４４との嵌合により、フック部１０２は収納された状態に保持される。これにより、フック部１０２および台座１０３を上下方向に長くすることなく、フック部１０２の収納された状態を確実に保持することができる。
【００６７】
屈曲部分１２２に近接した延出部分１２１の内面と、台座１０３の突起部１４３Ｄとの当接により、フック部１０２の収納された姿勢が常に一定の姿勢に定められる。これにより、屈曲部分１２２の係止突部１２７が、台座１０３の係止凹所１４４に確実に嵌合することができる。
【００６８】
マグネットの上下方向の長さが変更されても左右方向の幅が同じであれば、使用者は、同じ保持枠１０５を使用して異なる長さのマグネットを台座１０３に取り付けることができる。また、マグネットの左右方向の幅が変更される場合には、マグネットの幅に応じた幅の保持枠を用意することにより、使用者は、台座１０３の形状を変更することなく、異なる幅のマグネットを台座１０３に取り付けることができる。
【００６９】
＜変形例＞
本発明は、本実施形態に限定されることはなく、その趣旨を逸脱しない範囲において種々の変形が可能である。以下にその変形の一例を述べる。
【００７０】
（１）第１の実施形態では、マグネット４は設置凹部３３の一対の小径内周面３３Ａ、３３Ａに圧入されて取り付けられる。この構成に代えて、第２の実施形態の保持枠１０５と同様な保持枠を使用して、マグネットを台座に取り付ける構成であっても良い。
【００７１】
（２）第２の実施形態では、第１の実施形態の一対の切欠部３４、３５が設けられていないが、一対の切欠部が一対の側方部分１３１、１３２に形成される構成であっても良い。この構成により、フック部１０２が収納された状態で、使用者は細い長尺物を一対の切欠部に吊り下げることができる。
【００７２】
（３）第１の実施形態の摩擦シート５と同様なシートが、第２の実施形態のマグネット１０４の壁面ＷＬと対向する面に、接着される構成であっても良い。また、摩擦シート５をマグネット４に接着する構成に代えて、摩擦抵抗を増加させる溶剤をマグネットの表面に塗布しても良い。
【００７３】
（４）第２の実施形態の突出部１２８と同様な突出部が、第１の実施形態の延出部分２１と屈曲部分２２との連結部分の外面に形成される構成であっても良い。
【００７４】
（５）第２の実施形態では、保持下端面１２５および保持後端面１２６と、下方当接面１４３Ａおよび傾斜当接面１４３Ｂとの当接により、フック部１０２は突出した状態に保持される構成である。この構成に代えて、保持下端面１２５と下方当接面１４３Ａとの当接のみにより、フック部１０２が突出した状態に保持される構成であっても良い。
【００７５】
（６）第１の実施形態では、マグネット４は、一対の小径内周面３３Ａ、３３Ａの間への圧入により、台座３に取り付けられるが、この構成に代えて、または、この構成に加えて、マグネット４を接着剤で接着する取り付け方法を採用することができる。第２の実施形態では、マグネット１０４は、取付突起１１２、１１３と取付凹所１３４、１３５との嵌合により、台座１０３に取り付けられるが、この構成に加えて、マグネット１０４を接着剤で接着する取り付け方法を採用することができる。
【符号の説明】
【００７６】
１、１００    フック装置
２、１０２    フック部
３、１０３    台座
４、１０４    マグネット
２０、１２０    基端部分
２１、１２１    延出部分
２２、１２２    屈曲部分
２３、２４、１２３、１２４    軸部
２５    保持端面
２６    係止溝
３３、１３３    設置凹部
３３Ａ    小径内周面
３４、３５    切欠部
３６、１３６    収納凹部
３９、４０、１３９、１４０    支持孔
４３Ａ    当接面
４３Ｄ、１４３Ｄ    突起部
４４    係止突部
１０５    保持枠
１２５    保持下端面
１２６    保持後端面
１２７    係止突部
１２８    突出部
１３４、１３５    取付凹所
１４３Ａ    下方当接面
１４３Ｂ    傾斜当接面
ＷＬ    壁面
ＳＴ    細い長尺物
以上
【図１】
0005495435.tif 000002
【図２】
0005495435.tif 000003
【図３】
0005495435.tif 000004
【図４】
0005495435.tif 000005
【図５】
0005495435.tif 000006
【図６】
0005495435.tif 000007
【図７】
0005495435.tif 000008
【図８】
0005495435.tif 000009
【図９】
0005495435.tif 000010
【図１０】
0005495435.tif 000011
【図１１】
0005495435.tif 000012
【図１２】
0005495435.tif 000013
【図１３】
0005495435.tif 000014
【図１４】
0005495435.tif 000015
【図１５】
0005495435.tif 000016
【図１６】
0005495435.tif 000017
【図１７】
0005495435.tif 000018
【図１８】
0005495435.tif 000019